【事件の表示】
　特願２００１−３２１４２０「空気調和機」拒絶査定不服審判事件〔平成１５年　５月　８日出願公開，特開２００３−１３０３８６〕について，次のとおり審決する。
【結　論】
　本件審判の請求は，成り立たない。
【理　由】
 １．手続の経緯 
　 
　本件の出願（以下，「本願という」。）は，平成１３年１０月１９日の出願であって，平成１８年１２月１２日付け（発送日：同年１２月１９日）で拒絶査定がなされ，これに対し，平成１９年１月１０日付けで拒絶査定不服審判の請求がなされ，さらに，当審において，平成２１年１月２１日付け（発送日：同年１月２９日）で新たに拒絶理由を通知したところ，同年３月３０日付けで意見書が提出されるとともに，同日付けで手続補正（以下「本件補正」という。）がなされたものである。
　
２．本願発明
　
　本願の請求項１に係る発明（以下「本願発明」という。）は，本件補正により補正された特許請求の範囲の請求項１に記載された事項により特定される，次のとおりのものである。
　
　「吸込口と，吹出口と，前記吸込口と前記吹出口とを結ぶ送風路に，離間部を有する熱交換器と，送風機とを備え，熱交換器の離間部に設けられた前記熱交換器による熱交換を行わない空気を導入する空気流通路と，前記空気流通路への空気の流通を可変させる遮蔽手段とを設けた空気調和機において，冷房運転時に圧縮機が停止した際，前記遮蔽手段を開放し前記空気流通路から空気を導入するようにしてなることを特徴とする空気調和機。」
　
３．当審の拒絶理由
　
　平成２１年１月２１日付けで通知した拒絶の理由のうち「理由２」は，平成１８年８月７日付けの手続補正により補正された，請求項１に係る発明は，発明の詳細な説明に記載されたものではないから，特許法第３６条６項第１項に規定する要件を満たしていない，というものであって，その概要は次のとおりである。
　
「本願発明の解決しようとする課題である「冷房運転から所定時間，送風運転に切り替わった際，熱交換器の表面に結露した凝縮水あるいはフィルタ等に付着している臭気成分が室内に送出されることを防止する」ための構成が，請求項において反映されているものとは認められない。 
　つまり，送風運転時には，熱交換器による熱交換を行わない空気流通路への空気の流通を可変させるのみでなく，熱交換器への空気の流通を遮蔽する構成が請求項おいて，反映されていない。」
　
　また，平成２１年１月２１日付けで通知した拒絶の理由のうち「理由４」は，平成１８年８月７日付けでした手続補正は，願書に最初に添付した明細書又は図面に記載した事項の範囲内においてしたものでないから，特許法第１７条の２第３項に規定する要件を満たしていない，というものであって，その概要は次のとおりである。
　
「平成１８年８月７日付け手続補正後の請求項１（以下「補正後の請求項１」という。）には，「熱交換器による熱交換を行わない空気を導入する空気流通路」と記載されているものの，出願当初の明細書又は図面には，熱交換器による熱交換を行わない空気を導入する箇所は，前面吸込口と上部面吸込口に対応して設けられた前部熱交換器と後部熱交換器との間に形成された離間部が記載されているのみであり，この限定を加えることなく，単に「空気流通路」とすることは，出願当初の明細書又は図面に記載された範囲内のものとは認められない。 
　さらに，補正後の請求項１には，「前記遮蔽手段を制御し，前記空気通路から空気を導入する」と記載されているものの，本願の出願当初の明細書又は図面には，送風運転時には，前面開閉ルーバ１ａ，１ｂ及び上面開閉ルーバ２ａ，２ｃを回動して閉鎖するとともに，離間部に対向した上面開閉ルーバ２ｂのみを開放し，離間部の上納に設けた，唯一開放された上面開閉ルーバ２ｂから吸込まれた空気が熱交換器に流入することを防止するための，前部開閉板と後部開閉板を回動させて離間部を開放する点が記載されているのみであり，これらの限定を加えることなく，単に「遮蔽手段を制御し」とすることは，出願当初の明細書又は図面に記載された範囲内のものとは認められない。 
　よって，平成１８年８月７日付けでした手続補正は，出願当初の明細書等のずべての記載を総合することにより導かれる技術的事項との関係において，新たな技術的事項を導入しないものでない。」
　
　ここで，「離間部の上納に設けた」，「ずべて」という記載は，それぞれ「離間部の上方に設けた」，「すべて」の誤記であることは明らかである。　 
４．平成２１年３月３０日付け意見書における請求人の主張
　
４−１．「理由２」に対する主張
　
　請求人は，
「『送風運転時には，熱交換器による熱交換を行わない空気流通路への空気の流通を可変させるのみでなく，熱交換器への空気の流通を遮蔽する構成が請求項おいて，反映されていない。』とのご指摘ですが，熱交換器が離間して配置されており，その離間部が空気流通路となっている旨を追加する補正を行ったことにより，ご指摘の点は解消されたものと考えます。
　具体的には，熱交換器の離間部から空気を導入するようにしたことにより，送風機により発生する空気流は，その大部分が離間部を通過することとなります。なぜなら，熱交換器の離間部は熱交換器よりも通風抵抗が低いため，熱交換器ではなく離間部を空気が流通するようになるためです。
　よって，平成２１年３月３０日付の補正により，ご指摘の拒絶理由は解消しているものと考えます。」（［三］拒絶理由と本願発明との対比（２）理由２についての欄）と主張している。
　
４−２．「理由４」に対する主張
　
　請求人は，　
「『単に空気流通路とすることは，出願当初の明細書又は図面に記載された範囲内のものとは認められない』とのご指摘に関しては，熱交換器が離間して配置されており，その離間部が空気流通路となっている旨を追加する補正を行いました。
　また，『単に「遮蔽手段（あるいは開閉部材）を制御し」とすることは出願当初の明細書又は図面に記載された範囲内のものとは認められない』とのご指摘に関しては，遮蔽手段（あるいは開閉部材）を開放することで空気の流通を行わせる旨を明確にする補正を行いました。
　これら遮蔽手段（あるいは開閉部材）により熱交換器の離間部を開放する点は【0011】に記載されておりますので，本請求項に係る発明は，出願当初の明細書又は図面に記載された範囲内のものであるといえます。」（［三］拒絶理由と本願発明との対比（２）理由４についての欄）と主張している。
　
５．当審の判断
　
５−１．当審の拒絶の理由２（特許法第３６条第６項第１号）について
　
　本願発明が，特許法第３６条第６項第１号に規定する要件に適合するものであるか否かについて検討する。
　
　本願の発明の詳細な説明には，次の記載がある。
　
ａ．「【従来の技術】
　従来の空気調和機は，例えば図３で示すように，前面上部に複数の桟から形成される前面吸込口３０を，上面に複数の桟から形成される上面吸込口３１を，前面下部に，複数の風向変更板３２ａを備えた吹出口３２を夫々設けている。前記前面吸込口３０及び前記上面吸込口３１と，前記吹出口３２とを結ぶ空気通路には，垂直部３３ａと，同垂直部３３ａの上端を折曲して後方に傾斜させた後方傾斜部３３ｂと，同後方傾斜部３３ｂの上端を折曲して前方に傾斜させた前方傾斜部３３ｃとからなる熱交換器３３と，送風ファン３４とが設けられている。冷房運転時，前記前面吸込口３０及び前面上面吸込口３１から吸込まれた室内の空気は，前記熱交換器３３により冷却されるとともに，同熱交換器３３の表面に凝縮水を結露させることにより除湿され，また暖房運転時には，前記熱交換器３３により加熱されて，前記送風ファン３４により室内に送出されるようになっている。
　冷房運転時，室温が設定された設定値に近づくにつれ，室外機に備えられた圧縮機は次第に低速運転となって冷房運転を弱め，室温が設定値を下回るような場合には，ある所定時間，圧縮機を停止して冷房運転から送風運転に切換え，室内が過度に冷却されないようにしている。
　しかしながら，冷房運転から送風運転に切り替わった際，冷房運転時に前記熱交換器３３の表面に結露した凝縮水が，通過する空気に混合して再び室内に送出され室内の湿度が上昇してしまったり，あるいは前記前面吸込口３０及び前記上面吸込口３１の裏面に装着されたフィルタに付着している臭気成分が通過する空気中に飛散して室内に送出され，使用者に不快感を与えるというような不具合が発生する場合があった。」（段落【０００２】−【０００４】）
　
ｂ．「【発明が解決しようとする課題】
　本発明は上記問題点に鑑み，冷房運転から所定時間，送風運転に切り替わった際，熱交換器の表面に結露した凝縮水あるいはフィルタ等に付着している臭気成分が室内に送出されることを防止した空気調和機を提供することを目的とする。」（段落【０００５】）
　
ｃ．「【発明の実施の形態】
　以下，本発明の実施の形態を，添付図面に基づいた実施例として詳細に説明する。
　図１は本発明による空気調和機を示す空気調和機の断面図であり，図２は送風運転を行う際の状態を示す断面図である。
　本発明による空気調和機は，図１で示すように，前面上部に前面吸込口１を，上面に上面吸込口２を，前面下部に複数の風向変更板３ａを備えた吹出口３を夫々設けている。前記前面吸込口１には下端部に設けた軸を軸支され，前後動することにより前記前面吸込口１の開閉を行う前面開閉ルーバ１ａ，１ｂ及び１ｃが上下に設けられ，同様に，前記上面吸込口２にも，後端に設けた軸を軸支され，上下動することにより前記上面吸込口２の開閉を行う上面開閉ルーバ２ａ，２ｂ及び２ｃが前後に設けられている。
  前記前面吸込口１及び前記上面吸込口２と，前記吹出口３とを結ぶ空気通路には，等間隔で平行に並べられたフィンと，同フィンに直交するように蛇行状に配設された伝熱管とからなり前記前面吸込口１及び前記上面吸込口２から吸込まれ，通過する空気と熱交換を行なって冷却または加熱する熱交換器４と，同熱交換器４により熱交換された空気を前記吹出口３から室内に送出する送風ファン５とが設けられている。
　前記熱交換器４は，前記前面吸込口１に対向して設けられた垂直部４ａと，同垂直部４ａの上端を折曲して後方に傾斜させた後方傾斜部４ｂとからなる前部熱交換器と，上端を前方に傾斜させた後部熱交換器４ｃとで構成され，前記後方傾斜部４ｂの上端と，前記後部熱交換器４ｃの上端とは離間して，その間に離間部６が形成されている。同離間部６が，前記上面開閉ルーバ２ａ，２ｂ及び２ｃの中央に位置する中央上面開閉ルーバ２ｂに対向するように前記熱交換器４は設けられており，また，前記離間部６の上方には，これを開閉する前後一対に配置された前部開閉板７ａと後部開閉板７ｂとが設けられている。これらは軸支された下端軸により前後に回動するようになっており，前記前部開閉板７ａが後方に回動し，前記後部開閉板７ｂが前方に回動することにより前記離間部６は遮蔽され，前記前部開閉板７ａが前方に回動し，前記後部開閉板７ｂが後方に回動することにより前記離間部６は開放されるようになっている。」（段落【０００９】−【００１１】）
　
ｄ．「次に，上記した構成の空気調和機の動作について説明する。冷房運転あるいは暖房運転の際，前記前面吸込口１に設けられた前記前面開閉ルーバ１ａ，１ｂ及び１ｃが前方に回動し，前記上面吸込口２に設けられた前記上面開閉ルーバ２ａ，２ｂ及び２ｃが上方に回動すると，図１で示すように，前記前面吸込口１と前記上面吸込口２とは開放されるようになっている。冷房運転時，前記前面吸込口１と前記上面吸込口２とから吸込まれた室内の空気は，前記熱交換器４と熱交換して冷却される一方，含有する水分を前記熱交換器４のフィン表面に凝縮させ，冷却され乾燥した空気となって前記送風ファン５により前記吹出口３から室内に送出されるようになっている。この際，前記離間部６に設けられた前記前部開閉板７ａは，後方に回動し，前記後部開閉板７ｂは前方に回動して前記離間部６を遮蔽し，吸込まれた空気が全て前記熱交換器４を通過し，熱交換されて室内に送出されるようにしている。
　冷房運転により室温が低下し設定された温度に近づくにつれ，室外機に備えられた圧縮機は次第に低速運転に移行し，弱冷房運転に切換えられる。それにもかかわらず室温が設定された温度を下回った場合は，圧縮機は所定時間停止され，冷房運転から室内を冷却しない送風運転に切換えられるようになっている。送風運転に切換えられた際，図２で示すように，前記前面吸込口１に設けられた前記前面開閉ルーバ１ａ，１ｂ及び１ｃは後方に回動して閉鎖され，前記上面吸込口２に設けられた前記上面開閉ルーバ２ａ，２ｂ及び２ｃは，前記離間部６に対向した前記中央上面開閉ルーバ２ｂを除き，下方に回動して閉鎖されるようになっている。また，これと同時に前記前部開閉板７ａが前方に回動し，前記後部開閉板７ｂが後方に回動することにより，唯一開放された前記上面開閉ルーバ２ｂから吸込まれた空気が前後に廻り込み，前記熱交換器４に流入することを防止する一方，前記離間部６に向かい流れるようガイドするようになっている。
  前記上面開閉ルーバ２ｂに対応する前記上面吸込口２から吸込まれた空気は，前記前部開閉板７ａ及び前記後部開閉板７ｂによりガイドされ，前記熱交換器４を通過することなく前記離間部６を通って前記送風ファン５により再び室内に送出されるようになっている。これにより前記熱交換器４の表面に結露している凝縮水が，吸込まれた空気に混合して再び室内に送出され，湿度が上昇してしまうというような不具合や，あるいは前記前面吸込口１及び前記上面吸込口２の裏面に装着されたフィルタに付着している臭気成分が室内に送出されるというような不具合を防止できるようになっている。送風運転が終了し，再び冷房運転に切換えられた際は，前記前面開閉ルーバ１ａ，１ｂ及び１ｃと前記上面開閉ルーバ２ａ，２ｂ及び２ｃとは開放され，また前記前部開閉板７ａと前記後部開閉板７ｂとが回動して前記離間部６を遮蔽するようになっている。」（段落【００１２】−【００１４】）
　
ｅ．「【発明の効果】
　以上説明したように，本発明によると，冷房運転から送風運転に切換えられた際，熱交換器の離間部に対応する上面開閉ルーバを除き，他の開閉ルーバが閉鎖されることにより，熱交換器の表面に結露している凝縮水が吸込まれた空気に混合して再び室内に送出されてしまうというような不具合や，フィルタに付着している臭気成分が室内に送出されてしまうというような不具合を防止することのできる空気調和機とすることができる。」（段落【００１５】）
　
　そこで，これらの記載事項及び図示内容を総合すると，本願の発明の詳細な説明には，本願発明の課題である「冷房運転から所定時間，送風運転に切り替わった際，熱交換器の表面に結露した凝縮水あるいはフィルタ等に付着している臭気成分が室内に送出されることを防止」するための発明として，次の発明が記載されている。
　
「前面吸込口と上部面吸込口と，吹出口と，前記各吸込口と吹出口とを結ぶ送風路に，前部熱交換器と後部熱交換器の間に離間部を有する熱交換器と，送風機とを備え，熱交換器の離間部に設けられた前記熱交換器による熱交換を行わない空気を導入する空気流通路と，空気流通路への空気の流通を可変させる前面開閉ルーバ，上面開閉ルーバ，前部開閉板及び後部開閉板とを設けた空気調和機において，
　冷房運転時に圧縮機が停止した際，前記前面吸込口に設けられた前面開閉ルーバを閉鎖し，前記上面吸込口に設けられた複数の上面開閉ルーバのうち，離間部に対向した上記上面開放ルーバを除き閉鎖するとともに，前記前部開閉板と前記後部開閉板とを開放し，前記空気流通路から空気を導入するようにしてなる空気調和機。」
　
　そして，記載ｅにも「冷房運転から送風運転に切換えられた際，熱交換器の離間部に対応する上面開閉ルーバを除き，他の開閉ルーバが閉鎖されることにより，熱交換器の表面に結露している凝縮水が吸込まれた空気に混合して再び室内に送出されてしまうというような不具合や，フィルタに付着している臭気成分が室内に送出されてしまうというような不具合を防止する」と記載されているように，本願発明の課題を解決するためには，「冷房運転時に圧縮機が停止した際，前記前面吸込口に設けられた前面開閉ルーバを閉鎖し，前記上面吸込口に設けられた複数の上面開閉ルーバのうち，離間部に対向した上記上面開放ルーバを除き閉鎖するとともに，前記前部開閉板と前記後部開閉板とを開放し，前記空気流通路から空気を導入する」構成を発明の課題を解決するための手段とするものである。
　　
　これに対して，本願発明は「（冷房運転時に圧縮機が停止した際，）前記前面吸込口に設けられた前面開閉ルーバを閉鎖し，前記上面吸込口に設けられた複数の上面開閉ルーバのうち，離間部に対向した上記上面開放ルーバを除き閉鎖するとともに，前記前部開閉板と前記後部開閉板とを開放し，前記空気流通路から空気を導入する」構成を欠いており，請求項において，発明の詳細な説明に記載された，発明の課題を解決するための手段が反映されていないため，発明の詳細な説明に記載した範囲を超えたものとなっている。
　
　つぎに，平成２１年３月３０日付け意見書における請求人の「理由２」に対する主張について検討する。
　
　前記主張は，要すれば，
　
ａ．「熱交換器の離間部から空気を導入するようにしたことにより，送風機により発生する空気流は，その大部分が離間部を通過することとなります。なぜなら，熱交換器の離間部は熱交換器よりも通風抵抗が低いため，熱交換器ではなく離間部を空気が流通するようになるためです。」
　
　というものである。
　
　しかしながら，熱交換器よりも熱交換器の離間部の通風抵抗が低いとしても，「冷房運転時に圧縮機が停止した際，前記前面吸込口に設けられた前面開閉ルーバを閉鎖し，前記上面吸込口に設けられた複数の上面開閉ルーバのうち，離間部に対向した上記上面開放ルーバを除き閉鎖するとともに，前記前部開閉板と前記後部開閉板とを開放し，前記空気流通路から空気を導入する」ことなく，空気流通路に空気を流通させる点については，発明の詳細な説明には何ら記載も示唆もされていない。
　
　よって，請求人の上記主張は認められない。
　
　したがって，本願発明は，発明の詳細な説明に記載されたものとはいえないから，特許法第３６条第６項第１号に規定する要件を満たしていない。
　
５−２．当審の拒絶の理由４（特許法第１７条の２第３項）について
　
　本願発明が，特許法第１７条の２第３項に規定する要件に適合するものであるか否かについて検討する。
　
　本願の願書に最初に添付した明細書又は図面（以下，「当初明細書等」という。）には，以下の事項が記載されている。
　
ア．「前面上部に，複数の前面開閉ルーバを備えた前面吸込口を，上面に，複数の上面開閉ルーバを備えた上面吸込口を夫々設け，前面下部に吹出口を設け，前記前面吸込口及び前記上面吸込口と，前記吹出口とを結ぶ空気通路に，上端を後方に傾斜させた前部熱交換器と，上端を前方に傾斜させた後部熱交換器とからなり，上端を離間してハの字状に配設され，離間部を少なくとも一つの前記上面開閉ルーバに対向させた熱交換器と，送風ファンとを設けてなり，  冷房運転時に圧縮機が停止した際，前記離間部に対向する上面開閉ルーバを開放する一方，他の上面開閉ルーバ及び前記前面開閉ルーバを閉じ，開放した前記上面開閉ルーバから流入した空気が前記離間部を通り，前記送風ファンにより前記吹出口から室内に送出されてなるようにしたことを特徴とする空気調和機。」（特許請求の範囲の【請求項１】）
　
イ．「【従来の技術】
　従来の空気調和機は，例えば図３で示すように，前面上部に複数の桟から形成される前面吸込口３０を，上面に複数の桟から形成される上面吸込口３１を，前面下部に，複数の風向変更板３２ａを備えた吹出口３２を夫々設けている。前記前面吸込口３０及び前記上面吸込口３１と，前記吹出口３２とを結ぶ空気通路には，垂直部３３ａと，同垂直部３３ａの上端を折曲して後方に傾斜させた後方傾斜部３３ｂと，同後方傾斜部３３ｂの上端を折曲して前方に傾斜させた前方傾斜部３３ｃとからなる熱交換器３３と，送風ファン３４とが設けられている。冷房運転時，前記前面吸込口３０及び前面上面吸込口３１から吸込まれた室内の空気は，前記熱交換器３３により冷却されるとともに，同熱交換器３３の表面に凝縮水を結露させることにより除湿され，また暖房運転時には，前記熱交換器３３により加熱されて，前記送風ファン３４により室内に送出されるようになっている。
　冷房運転時，室温が設定された設定値に近づくにつれ，室外機に備えられた圧縮機は次第に低速運転となって冷房運転を弱め，室温が設定値を下回るような場合には，ある所定時間，圧縮機を停止して冷房運転から送風運転に切換え，室内が過度に冷却されないようにしている。
　しかしながら，冷房運転から送風運転に切り替わった際，冷房運転時に前記熱交換器３３の表面に結露した凝縮水が，通過する空気に混合して再び室内に送出され室内の湿度が上昇してしまったり，あるいは前記前面吸込口３０及び前記上面吸込口３１の裏面に装着されたフィルタに付着している臭気成分が通過する空気中に飛散して室内に送出され，使用者に不快感を与えるというような不具合が発生する場合があった。」（段落【０００２】−【０００４】）
　
ウ．「【発明が解決しようとする課題】
　本発明は上記問題点に鑑み，冷房運転から所定時間，送風運転に切り替わった際，熱交換器の表面に結露した凝縮水あるいはフィルタ等に付着している臭気成分が室内に送出されることを防止した空気調和機を提供することを目的とする。」（段落【０００５】）
　
エ．「【発明の実施の形態】
　以下，本発明の実施の形態を，添付図面に基づいた実施例として詳細に説明する。
　図１は本発明による空気調和機を示す空気調和機の断面図であり，図２は送風運転を行う際の状態を示す断面図である。
　本発明による空気調和機は，図１で示すように，前面上部に前面吸込口１を，上面に上面吸込口２を，前面下部に複数の風向変更板３ａを備えた吹出口３を夫々設けている。前記前面吸込口１には下端部に設けた軸を軸支され，前後動することにより前記前面吸込口１の開閉を行う前面開閉ルーバ１ａ，１ｂ及び１ｃが上下に設けられ，同様に，前記上面吸込口２にも，後端に設けた軸を軸支され，上下動することにより前記上面吸込口２の開閉を行う上面開閉ルーバ２ａ，２ｂ及び２ｃが前後に設けられている。
  前記前面吸込口１及び前記上面吸込口２と，前記吹出口３とを結ぶ空気通路には，等間隔で平行に並べられたフィンと，同フィンに直交するように蛇行状に配設された伝熱管とからなり前記前面吸込口１及び前記上面吸込口２から吸込まれ，通過する空気と熱交換を行なって冷却または加熱する熱交換器４と，同熱交換器４により熱交換された空気を前記吹出口３から室内に送出する送風ファン５とが設けられている。
　前記熱交換器４は，前記前面吸込口１に対向して設けられた垂直部４ａと，同垂直部４ａの上端を折曲して後方に傾斜させた後方傾斜部４ｂとからなる前部熱交換器と，上端を前方に傾斜させた後部熱交換器４ｃとで構成され，前記後方傾斜部４ｂの上端と，前記後部熱交換器４ｃの上端とは離間して，その間に離間部６が形成されている。同離間部６が，前記上面開閉ルーバ２ａ，２ｂ及び２ｃの中央に位置する中央上面開閉ルーバ２ｂに対向するように前記熱交換器４は設けられており，また，前記離間部６の上方には，これを開閉する前後一対に配置された前部開閉板７ａと後部開閉板７ｂとが設けられている。これらは軸支された下端軸により前後に回動するようになっており，前記前部開閉板７ａが後方に回動し，前記後部開閉板７ｂが前方に回動することにより前記離間部６は遮蔽され，前記前部開閉板７ａが前方に回動し，前記後部開閉板７ｂが後方に回動することにより前記離間部６は開放されるようになっている。」（段落【０００９】−【００１１】）
　
オ．「次に，上記した構成の空気調和機の動作について説明する。冷房運転あるいは暖房運転の際，前記前面吸込口１に設けられた前記前面開閉ルーバ１ａ，１ｂ及び１ｃが前方に回動し，前記上面吸込口２に設けられた前記上面開閉ルーバ２ａ，２ｂ及び２ｃが上方に回動すると，図１で示すように，前記前面吸込口１と前記上面吸込口２とは開放されるようになっている。冷房運転時，前記前面吸込口１と前記上面吸込口２とから吸込まれた室内の空気は，前記熱交換器４と熱交換して冷却される一方，含有する水分を前記熱交換器４のフィン表面に凝縮させ，冷却され乾燥した空気となって前記送風ファン５により前記吹出口３から室内に送出されるようになっている。この際，前記離間部６に設けられた前記前部開閉板７ａは，後方に回動し，前記後部開閉板７ｂは前方に回動して前記離間部６を遮蔽し，吸込まれた空気が全て前記熱交換器４を通過し，熱交換されて室内に送出されるようにしている。
　冷房運転により室温が低下し設定された温度に近づくにつれ，室外機に備えられた圧縮機は次第に低速運転に移行し，弱冷房運転に切換えられる。それにもかかわらず室温が設定された温度を下回った場合は，圧縮機は所定時間停止され，冷房運転から室内を冷却しない送風運転に切換えられるようになっている。送風運転に切換えられた際，図２で示すように，前記前面吸込口１に設けられた前記前面開閉ルーバ１ａ，１ｂ及び１ｃは後方に回動して閉鎖され，前記上面吸込口２に設けられた前記上面開閉ルーバ２ａ，２ｂ及び２ｃは，前記離間部６に対向した前記中央上面開閉ルーバ２ｂを除き，下方に回動して閉鎖されるようになっている。また，これと同時に前記前部開閉板７ａが前方に回動し，前記後部開閉板７ｂが後方に回動することにより，唯一開放された前記上面開閉ルーバ２ｂから吸込まれた空気が前後に廻り込み，前記熱交換器４に流入することを防止する一方，前記離間部６に向かい流れるようガイドするようになっている。
  前記上面開閉ルーバ２ｂに対応する前記上面吸込口２から吸込まれた空気は，前記前部開閉板７ａ及び前記後部開閉板７ｂによりガイドされ，前記熱交換器４を通過することなく前記離間部６を通って前記送風ファン５により再び室内に送出されるようになっている。これにより前記熱交換器４の表面に結露している凝縮水が，吸込まれた空気に混合して再び室内に送出され，湿度が上昇してしまうというような不具合や，あるいは前記前面吸込口１及び前記上面吸込口２の裏面に装着されたフィルタに付着している臭気成分が室内に送出されるというような不具合を防止できるようになっている。送風運転が終了し，再び冷房運転に切換えられた際は，前記前面開閉ルーバ１ａ，１ｂ及び１ｃと前記上面開閉ルーバ２ａ，２ｂ及び２ｃとは開放され，また前記前部開閉板７ａと前記後部開閉板７ｂとが回動して前記離間部６を遮蔽するようになっている。」（段落【００１２】−【００１４】）
　
カ．「【発明の効果】
　以上説明したように，本発明によると，冷房運転から送風運転に切換えられた際，熱交換器の離間部に対応する上面開閉ルーバを除き，他の開閉ルーバが閉鎖されることにより，熱交換器の表面に結露している凝縮水が吸込まれた空気に混合して再び室内に送出されてしまうというような不具合や，フィルタに付着している臭気成分が室内に送出されてしまうというような不具合を防止することのできる空気調和機とすることができる。」（段落【００１５】）
　
　これらの記載事項からみて，当初明細書等には，「冷房運転時に圧縮機が停止した際，前記前面吸込口に設けられた前面開閉ルーバを閉鎖し，前記上面吸込口に設けられた複数の上面開閉ルーバのうち，離間部に対向した上記上面開放ルーバを除き閉鎖する」ことなく，熱交換器の離間部に設けられた空気流通路から空気を導入する点は記載されていないし，当初明細書等の記載から自明なものでもない。
　
　これに対し，本願発明は，「冷房運転時に圧縮機が停止した際，前記遮蔽手段を開放し前記空気流通路から空気を導入する」ものであって，依然として「冷房運転時に圧縮機が停止した際，前記前面吸込口に設けられた前面開閉ルーバを閉鎖し，前記上面吸込口に設けられた複数の上面開閉ルーバのうち，離間部に対向した上記上面開放ルーバを除き閉鎖する」構成要件を有しておらず，この構成要件を用いることなく，空気流通路から空気を導入することは，当初明細書等には記載されていない。
　
　つぎに，平成２１年３月３０日付け意見書における請求人の「理由４」に対する主張について検討する。
　
　前記主張は，要すれば，
　
　「単に『遮蔽手段を制御し』とすることは出願当初の明細書又は図面に記載された範囲内のものとは認められない」とのご指摘に関しては，遮蔽手段を開放することで空気の流通を行わせる旨を明確にする補正を行いました。　これら遮蔽手段により熱交換器の離間部を開放する点は【0011】に記載されておりますので，本請求項に係る発明は，出願当初の明細書又は図面に記載された範囲内のものであるといえます。」
　
　というものである。
　
　しかしながら，「冷房運転時に圧縮機が停止した際，前記前面吸込口に設けられた前面開閉ルーバを閉鎖し，前記上面吸込口に設けられた複数の上面開閉ルーバのうち，離間部に対向した上記上面開放ルーバを除き閉鎖する」ことなく，「前記遮蔽手段を開放」することのみによって，空気流通路から空気を導入する点は記載されていない。
　
　よって，請求人の上記主張は認められない。
　
　したがって，本件補正は，依然として，出願当初の明細書等のすべての記載を総合することにより導かれる技術的事項との関係において，新たな技術的事項を導入しないものでなく，特許法第１７条の２第３項に規定する要件を満たしているものとはいえない。
　
６．むすび
　
　以上のとおり，本願発明は，特許法第３６条第６項第１号に規定する要件を満たしておらず，また，本件補正は，特許法第１７条の２第３項に規定する要件を満たしていないものであるから，本願発明は特許を受けることができない。
　したがって，本願は，拒絶すべきものである。
　
　よって，結論のとおり審決する。